(57)【特許請求の範囲】
【請求項１】
被測定者が吹きかけた呼気を前記被測定者の口と接触せずに取得する呼気取得手段と、
前記被測定者の呼気の吹きかけ方を検知する吹きかけ方検知手段と、
前記吹きかけ方検知手段が検知した前記被測定者の呼気の吹きかけ方に応じて前記被測定者の呼気中のアルコール濃度を検知するアルコール濃度検知手段と、
を備え、
前記吹きかけ方検知手段は、前記被測定者が呼気を吹きかける時の口の形状を検知することにより前記被測定者の呼気の吹きかけ方を検知する、呼気アルコール濃度検知装置。
【請求項２】
前記吹きかけ方検知手段は、前記被測定者の呼気の温度を検知することにより前記被測定者の呼気の吹きかけ方を検知する、請求項１に記載の呼気アルコール濃度検知装置。
【請求項３】
前記アルコール濃度検知手段は、前記吹きかけ方検知手段が前記被測定者の呼気吹きかけによる検知温度の下降を検知したときは、検知した当該呼気中のアルコール濃度を無効なものとして取り扱う、請求項２に記載の呼気アルコール濃度検知装置。
【発明の詳細な説明】
【技術分野】
【０００１】
本発明は呼気アルコール濃度検知装置に関し、特に、被測定者が吹きかけた呼気を被測定者の口と接触せずに取得して当該呼気中のアルコール濃度を検知する呼気アルコール濃度検知装置に関するものである。
【背景技術】
【０００２】
近年では飲酒運転が社会的に非常に問題となっており、ドライバーの飲酒の有無を検知するための装置が提案されている。例えば、特許文献１では、動作開始信号により金属酸化物半導体ガスセンサの通電を開始するとともに高温加熱し、高温加熱中に呼気を金属酸化物半導体ガスセンサに吹きかけ、この呼気の吹きかけにより生じる金属酸化物半導体ガスセンサの抵抗値の変化から呼気の吹きかけを検知し、この検知に基づいて金属酸化物半導体ガスセンサの高温加熱を停止して低温加熱状態へ移行させ、低温加熱状態に移行してから一定時間経過時点の金属酸化物半導体ガスセンサの抵抗値を検知して該検知抵抗値に基づいて呼気中の被検知対象のアルコール成分を検知することにより、電源投入からガス検知可能までの時間を短くする技術が提案されている。
【特許文献１】国際公開００／６５３３４号パンフレット
【発明の開示】
【発明が解決しようとする課題】
【０００３】
しかしながら、上記の技術では、被測定者による呼気の吹きかけ方によって、検知されるアルコール濃度が変化する。そのため、上記の技術では、検知装置の設定で想定された呼気の吹きかけ方をされなかったときには、呼気中のアルコール濃度を正確に検知することができない場合がある。
【０００４】
本発明は、かかる事情に鑑みてなされたものであり、その目的は、被測定者による呼気の吹きかけ方が変動したとしても、より正確に呼気中のアルコール濃度を検知することができる呼気アルコール濃度検知装置を提供することにある。
【課題を解決するための手段】
【０００５】
本発明は、被測定者が吹きかけた呼気を被測定者の口と接触せずに取得する呼気取得手段と、被測定者の呼気の吹きかけ方を検知する吹きかけ方検知手段と、吹きかけ方検知手段が検知した被測定者の呼気の吹きかけ方に応じて被測定者の呼気中のアルコール濃度を検知するアルコール濃度検知手段と、を備えた呼気アルコール濃度検知装置である。
【０００６】
この構成によれば、呼気取得手段が、測定者が吹きかけた呼気を被測定者の口と接触せずに取得するため、マウスピース等を用いる接触式の装置に比べて被測定者が測定を受けることが容易であり、衛生的である。また、吹きかけ方検知手段が被測定者の呼気の吹きかけ方を検知し、アルコール濃度検知手段が、吹きかけ方検知手段が検知した被測定者の呼気の吹きかけ方に応じて被測定者の呼気中のアルコール濃度を検知するため、被測定者による呼気の吹きかけ方が変動したとしても、より正確に呼気中のアルコール濃度を検知することができる。
【０００７】
この場合、吹きかけ方検知手段は、被測定者の呼気の温度を検知することにより被測定者の呼気の吹きかけ方を検知するものであることが好適である。
【０００８】
被測定者の呼気の吹きかけ方が変動すると、被測定者の呼気の温度も変動する。そのため、この構成によれば、吹きかけ方検知手段が被測定者の呼気の温度を検知することにより、被測定者の呼気の吹きかけ方を精度良く検知することができる。
【０００９】
この場合、アルコール濃度検知手段は、吹きかけ方検知手段が被測定者の呼気吹きかけによる検知温度の下降を検知したときは、検知した当該呼気中のアルコール濃度を無効なものとして取り扱うことが好適である。
【００１０】
被測定者が口を開いて呼気を「はぁーっ」と吹きかけた場合は、肺から出た暖かい呼気が吹きかけ方検知手段に吹きかかるので検知温度が上昇する。この場合、被測定者の体内に含まれるアルコールが十分に呼気に含まれることになり、正確な測定が可能となる。一方、被測定者が口をすぼめて呼気を「ふぅーっ」と吹きかけた場合は、口で勢い付けられた呼気が吹きかけ方検知手段に吹きかかるので検知温度が下降する。人が呼気を吹きかけたようになりすまそうとして風船等を用いて空気を吹きかけた場合も「ふぅーっ」と吹きかけた場合と同様に検知温度が下降することから、人が呼気を吹きかけたのか、それとも風船等を使って空気を吹きかけたのか判別するのが難しいことがある。そのため、この構成では、吹きかけ方検知手段が被測定者の呼気吹きかけによる検知温度の下降を検知したときは、アルコール濃度検知手段が、検知した当該呼気中のアルコール濃度を無効なものとして取り扱うことにより、風船等を用いたなりすましを防止しつつ、被測定者の体内に含まれるアルコールを精度良く検知することができる。
【００１１】
一方、吹きかけ方検知手段は、被測定者が呼気を吹きかける時の口の形状を検知することにより被測定者の呼気の吹きかけ方を検知するものであることが好適である。
【００１２】
被測定者の呼気の吹きかけ方が変動すると、被測定者が呼気を吹きかける時の口の形状も変動する。そのため、この構成では、吹きかけ方検知手段が、被測定者が呼気を吹きかける時の口の形状を検知することにより、被測定者の呼気の吹きかけ方をより精度良く検知することができる。
【発明の効果】
【００１３】
本発明の呼気アルコール濃度検知装置によれば、マウスピース等を用いる接触式の装置に比べて被測定者が測定を受けることが容易であり、衛生的なものとできる。また、被測定者による呼気の吹きかけ方が変動したとしても、より正確に呼気中のアルコール濃度を検知することができる。
【発明を実施するための最良の形態】
【００１４】
以下、本発明の実施の形態に係る呼気アルコール濃度検知装置について添付図面を参照して説明する。本実施形態の呼気アルコール濃度検知装置は、例えば自動車に搭載され、ドライバーの飲酒の有無を検知するために用いられるものである。図１は、第１実施形態に係る呼気アルコール検知装置の構成を示すブロック図である。図１に示すように、本実施形態の呼気アルコール検知装置１０ａは、呼気吹きかけ式アルコール検知センサ１２、呼気温度検知センサ１４、呼気温度変化検知部１６、呼気判断部１８、及び計測完了判断部２０を備えている。
【００１５】
呼気吹きかけ式アルコール検知センサ１２は、マウスピース等を用いずに被測定者が吹きかけた呼気を被測定者の口と接触せずに取得して、呼気中のアルコール濃度を検知するためのものであり、呼気取得手段として機能する。呼気吹きかけ式アルコール検知センサ１２としては、半導体を用いたもの、燃料電池を用いたもの、赤外線を用いたものを適用することができる。
【００１６】
半導体を用いた呼気吹きかけ式アルコール検知センサ１２は、半導体の中にもともと流れている電子の量が、呼気中のアルコールにより吸収され、変化する特性を利用する。この原理の呼気吹きかけ式アルコール検知センサ１２では、半導体内の電子の量が変化することにより、センサ内の電気抵抗も変化するため、その電気抵抗の強さから被測定者の呼気中アルコール濃度を推定することができる。
【００１７】
燃料電池を用いた呼気吹きかけ式アルコール検知センサ１２は、呼気中のアルコールから電子を作り出すことのできる燃料電池の特性を利用する。この原理の呼気吹きかけ式アルコール検知センサ１２では、アルコールにより作り出された電子の多さが、電気の流れの強さになるため、その電流の強さから、被測定者の呼気中アルコール濃度を推定することができる。
【００１８】
赤外線を用いた呼気吹きかけ式アルコール検知センサ１２は、赤外線が、車室内の空気中のアルコールにより吸収されることによる特性を利用する。この原理の呼気吹きかけ式アルコール検知センサ１２では、アルコールにより吸収された赤外線を、光検出器で電気信号に変換し、電気信号をマイクロプロセッサーで解析することにより、被測定者の呼気中アルコール濃度を推定することができる。
【００１９】
呼気温度検知センサ１４は、被測定者の呼気の温度を検知するためのものであり、吹きかけ方検知手段として機能する。呼気温度検知センサ１４は、呼気吹きかけ式アルコール検知センサ１２における作動温度測定用の温度センサとは別個に設けられている。
【００２０】
呼気温度変化検知部１６は、呼気温度検知センサ１４が検知した呼気の温度が一定時間にどれだけ変動するかを検知するためのものである。呼気判断部１８は、呼気温度変化検知部１６が検知した一定時間内における呼気温度の変動から、当該呼気が人の呼気であるか否か、当該呼気中のアルコール濃度を有効なものとして扱うか無効なものとして扱うかを判断するためのものである。呼気温度変化検知部１６及び呼気判断部１８は、アルコール濃度検知手段として機能する。
【００２１】
計測完了判断部２０は、呼気判断部１８が当該呼気中のアルコール濃度を有効なものと判断したときは、計測完了として判定し、呼気判断部１８が当該呼気中のアルコール濃度を無効なものと判断したときは、計測が未完了として判定して再度の計測を行なわせるためのものである。
【００２２】
次に、図２〜５を参照して、本実施形態の呼気アルコール検知装置の動作について説明する。本実施形態の呼気アルコール検知装置１０ａは、運転者がエンジンを始動した状態から動作を開始する。図２に示すように、呼気吹きかけ式アルコール検知センサ１２の電源が投入され（Ｓ１１）、呼気吹きかけ式アルコール検知センサ１２が安定状態に達した後に（Ｓ１２）、アルコール濃度計測開始が可能となる（Ｓ１３）。
【００２３】
呼気吹きかけ式アルコール検知センサ１２の上記ウォームアップの終了後、呼気温度検知センサ１４は検知温度の初期値Ｔ０を計測し、呼気温度変化検知部１６は初期値Ｔ０を記憶する（Ｓ１４）。
【００２４】
ドライバーにより吹きかけられた呼気中のアルコール濃度を呼気吹きかけ式アルコール検知センサ１２が計測し、呼気温度変化検知部１６は呼気温度検知センサ１４により検知された呼気温度を一定周期で取得する（Ｓ１５）。呼気温度検知部１６が一定時間ｔ内に初期値Ｔ０から所定値ΔＴ以上の温度変化を検知したか否かを判定する（Ｓ１６）。所定値Ｔ０以上の温度変化を検知しなかった場合は、十分な呼気吹きかけがなかったものとしてＳ１５に戻る。所定値ΔＴ以上の温度変化を検知した場合、その温度変化が上昇により変化したものであるのか否かを判定する（Ｓ１７）。温度変化が上昇により変化したものである場合は、呼気吹きかけ式アルコール検知センサ１２で検知された呼気に含まれるアルコール濃度を有効なものとして表示する（Ｓ１８）。温度変化が上昇により変化したものでない場合（下降により変化した場合）は、呼気吹きかけ式アルコール検知センサ１２で検知された呼気に含まれるアルコール濃度を無効なものとして表示する（Ｓ１９）。
【００２５】
従来のマウスピース等を用いずに被測定者が吹きかけた呼気を被測定者の口と接触せずに取得する形式の呼気アルコール検知装置では、呼気の吹きかけ方を考慮していないため、風船やエアーダスター等を用いて実際に人が呼気を吹きかけたようになりすますことが可能である。実際に人が吹きかけた呼気であるかどうかを判断するためには、風量センサ、呼気成分検知センサ、吸い込み検知装置等が別途必要となり、装置の複雑化とコスト高を招く。
【００２６】
また、従来の呼気アルコール検知装置では呼気の吹きかけ方によっても検知する値が異なる。すなわち、図３に示すような通常の口１００の形状に比べて、図４に示すように口１００をすぼめたままで、呼気を「ふぅーっ」と吹きかけた場合は、被測定者の体内に含まれるアルコールが十分に呼気に含まれないことになり、正確な測定が難しくなる。
【００２７】
一方、従来のマウスピース等を用いて被測定者の口と接触しつつ呼気を取得する形式の呼気アルコール検知装置では、呼気を吹き込み、最後に吸い込むことで呼気と判断する。あるいは、呼気に含まれる成分（酸素、二酸化炭素）や呼気の風量を検知して人の呼気と判断する。そのため、呼気成分検知センサ、吸い込み検知装置、風量センサ等が別途必要となり、装置の複雑化とコスト高を招く。加えて、被測定者はマウスピースを口にくわえる必要があるため、衛生的に問題がある。
【００２８】
一方、本実施形態においては、呼気の吹きかけ方を考慮して呼気中のアルコール濃度を検知する。すなわち、図５に示すように、被測定者が口１００を開いて呼気を「はぁーっ」と吹きかけた場合は、肺から出た暖かい呼気の吹きかけにより検知温度が上昇する。この場合、被測定者の体内に含まれるアルコールが十分に呼気に含まれることになり、正確な測定が可能となる。一方、図４に示すように、被測定者が口１００をすぼめて呼気を「ふぅーっ」と吹きかけた場合は、口で勢い付けられた呼気が吹きかけられることにより検知温度が下降するが、人が呼気を吹きかけたようになりすまそうとして風船等を用いて空気を吹きかけた場合も同様に検知温度が下降する。
【００２９】
そのため、本実施形態では上記点に着目し、呼気温度変化検知部１６及び呼気判断部１８は呼気温度検知センサ１４で検知した温度を一定周期で取得し、呼気温度検知センサ１４で計測した温度が呼気によって一定時間内に下がった場合は、呼気判断部１８は、図４に示すように被測定者が口１００をすぼめて呼気を「ふぅーっ」と吹きかけたのか、風船等を用いて人が呼気を吹きかけたようになりすましたのか判別が付かないと判断して、呼気吹きかけ式アルコール検知センサ１２により検知されたアルコール濃度を無効なものとする。
【００３０】
一方、呼気温度検知センサ１４で計測した温度が呼気によって一定時間内に上がった場合は、呼気判断部１８は、図５に示すように被測定者が口１００を開いて呼気を「はぁーっ」と吹きかけたと判断して、呼気吹きかけ式アルコール検知センサ１２により検知されたアルコール濃度を被測定者の呼気に含まれるアルコール濃度として有効なものとする。
【００３１】
このため、本実施形態では、被測定者の体内に含まれるアルコールを十分に呼気に含ませて精度良く検知することができる。また、風船等を用いたなりすましを防止することができる。さらに、呼気成分検知センサ、吸い込み検知装置、風量センサ等の装置は不要となり装置の簡便化と低コスト化を達成することができる。加えて、本実施形態では、呼気吹きかけ式アルコール検知センサ１２は、測定者が吹きかけた呼気を被測定者の口と接触せずに取得するため、マウスピース等を用いる接触式の装置に比べて被測定者が測定を受けることが容易であり、衛生的なものとできる。また、本実施形態では、再計測を行うたびに、呼気温度検知センサ１４のキャリブレーションを実施するため、より正確に呼気の温度変化を検知することができる。
【００３２】
以下、本発明の第２実施形態について説明する。図６は、本発明の第２実施形態に係る呼気アルコール検知装置の構成を示すブロック図である。図６に示すように、本実施形態の呼気アルコール検知装置１０ｂでは、呼気吹きかけ式アルコール検知センサ１２、呼気温度検知センサ１４、呼気温度変化検知部１６、呼気判断部１８、及び計測完了判断部２０に加えて、カメラセンサ２２及びドライバー口検出装置２４を備えている。
【００３３】
カメラセンサ２２は、ドライバーの顔全体又は口付近を撮像するためのものである。カメラセンサ２２は、ドライバーの顔向きや閉眼等を監視するためのドライバーモニタ用のカメラセンサを適用することができる。
【００３４】
ドライバー口検出装置２４は、カメラセンサ２２により撮像されたドライバーの画像により、ドライバーが呼気吹きかけ式アルコール検知センサ１２に呼気を吹きかける時の口の形状を検知するためのものである。カメラセンサ２２及びドライバー口検出装置２４は、吹きかけ方検知手段として機能する。
【００３５】
次に、図７及び８を参照して、本実施形態の呼気アルコール検知装置の動作について説明する。図７に示すように、本実施形態のステップＳ２１〜Ｓ２６においては、図２に示す上記第１実施形態のステップＳ１１〜Ｓ１６が同様に行われる。
【００３６】
本実施形態では、図８に示すように、ステップＳ２１〜Ｓ２６と並行して、ドライバー口検出装置２４は、カメラセンサ２２により撮像されたドライバーの顔全体又は口付近の映像を取得する（Ｓ２７）。ドライバー口検出装置２４は、カメラセンサ２２のカメラ画像からドライバーの口部分を検出する（Ｓ２８）。
【００３７】
ドライバー口検出装置２４が、ドライバーの口の形状を図５に示すような口１００を開いて呼気を「はぁーっ」と吹きかけた形状であると判断したときは（Ｓ２９）、呼気判断部１８は、ステップＳ２６における呼気の温度変化検知時刻と口が開いたことを検知した時刻とを比較する（Ｓ３０）。
【００３８】
呼気判断部１８は、一定時間ｔ内の呼気の温度変化と口が開いたことを検知した時刻とが、例えば時刻差Δｔ以内といった同等のタイミングであるときは（Ｓ３１）、呼気吹きかけ確認フラグをＯＮにする（Ｓ３２）。一方、ドライバー口検出装置２４が、ドライバーの口の形状が呼気を「はぁーっ」と吹きかけた形状でないと判断したときや（Ｓ２９）、ドライバー口検出装置２４が、ドライバーの口の形状が呼気を「はぁーっ」と吹きかけた形状であると判断したときでも、呼気判断部１８が、一定時間ｔ内の呼気の温度変化と口が開いたことを検知した時刻とが、例えば時刻差Δｔを超えた同等のタイミングでないと判断したときは（Ｓ３１）、呼気判断部１８は、呼気吹きかけ確認フラグをＯＦＦにする（Ｓ３３）。
【００３９】
図７に戻り、呼気判断部１８は、呼気吹きかけ確認フラグがＯＮの場合は、以下のステップＳ３５において、上記第１実施形態の図１のステップ１７と同様の処理を行う。すなわち、Ｔ０に比べて一定時間ｔ内の温度変化がΔＴ以上の温度上昇による変化であるときは（Ｓ３５）、呼気判断部１８は当該呼気を人の呼気であると判断し、呼気吹きかけ式アルコール検知センサ１２で検知された呼気に含まれるアルコール濃度を有効なものとして表示する（Ｓ３６）。
【００４０】
もし、Ｔ０に比べて一定時間ｔ内の温度変化がΔＴ以上の温度上昇による変化ではない場合は（Ｓ３５）、呼気判断部１８は当該呼気を人の呼気であると判別できないと判断し、呼気吹きかけ式アルコール検知センサ１２での検知されたアルコール濃度は無効としてドライバーに通知する（Ｓ３７）。
【００４１】
さらに、呼気判断部１８は、呼気吹きかけ確認フラグがＯＦＦの場合は、呼気判断部１８は当該呼気を人の呼気ではないと判断し、呼気吹きかけ式アルコール検知センサ１２での検知されたアルコール濃度は無効としてドライバーに通知する（Ｓ３７）。
【００４２】
呼気判断部１８は、呼気吹きかけ確認フラグがＯＮの場合はＯＦＦとする（Ｓ３８）。
【００４３】
本実施形態においては、カメラセンサ２２及びドライバー口検出装置２４によりドライバーの口の形状を検出するため、より確実にドライバーの呼気の吹きかけ方を確認することができ、呼気吹きかけ時の不正を、例えば無人の装置であっても防止することができる。また、本実施形態においては、カメラセンサ２２及びドライバー口検出装置２４に、ドライバーの顔向きや閉眼等を監視するためのドライバーモニタ用のカメラセンサやＥＣＵを適用することにより、呼気アルコール検知装置１０ｂをより低コストで構成することができる。
【００４４】
以上、本発明の実施の形態について説明したが、本発明は、上記実施形態に限定されるものではなく種々の変形が可能である。例えば、上記実施形態では、車載の呼気アルコール検知装置を中心に説明したが、本発明の呼気アルコール検知装置は車載の装置に限定されず、種々の用途に適用可能である。
【図面の簡単な説明】
【００４５】
【図１】第１実施形態に係る呼気アルコール検知装置の構成を示すブロック図である。
【図２】第１実施形態に係る呼気アルコール検知装置の動作を示すフロー図である。
【図３】呼気を吐く際の口の形を示す図である。
【図４】呼気を吐く際の口の形を示す図である。
【図５】呼気を吐く際の口の形を示す図である。
【図６】第２実施形態に係る呼気アルコール検知装置の構成を示すブロック図である。
【図７】第２実施形態に係る呼気アルコール検知装置の動作を示すフロー図である。
【図８】第２実施形態に係る呼気アルコール検知装置の動作を示すフロー図である。
【符号の説明】
【００４６】
１０ａ，１０ｂ…呼気アルコール検出装置、１２…呼気吹きかけ式アルコール検知センサ、１４…呼気温度検知センサ、１６…呼気温度変化検知部、１８…呼気判断部、２０…計測完了判断部、２２…カメラセンサ、２４…ドライバー口検出装置、１００…口。
【図１】
0004557059.tif 000002
【図２】
0004557059.tif 000003
【図３】
0004557059.tif 000004
【図４】
0004557059.tif 000005
【図５】
0004557059.tif 000006
【図６】
0004557059.tif 000007
【図７】
0004557059.tif 000008
【図８】
0004557059.tif 000009